(57)【要約】      （修正有）【課題】操作の迅速性と誤操作の防止をできるだけ両立する防犯ブザーを提供する。【解決手段】防犯ブザーは、警報を発するためのスピーカーと、当該スピーカーの制御を行う制御回路と、上記スピーカーおよび制御回路を駆動するための電源と、上記スピーカーの警報をＯＮ／ＯＦＦするためのスイッチ１ｂとを備えた本体１と、スイッチに設けられ、本体外に一部または全部が露出した紐状体３と、当該紐状体に設けられた固定部４とを有し、固定部を着脱可能に固定するための固定手段１ａを本体に設けたことを特徴とする。【選択図】図１
2019200497.tif 000002
【特許請求の範囲】
【請求項１】
警報を発するためのスピーカーと、
当該スピーカーの制御を行う制御回路と、
上記スピーカーおよび上記制御回路を駆動するための電源と、
上記スピーカーの警報をＯＮ／ＯＦＦするためのスイッチと、
を備えた本体と、
上記スイッチに設けられ、上記本体外に一部または全部が露出した紐状体と、
当該紐状体に設けられた固定部と、
を有し、
上記固定部を着脱可能に固定するための固定手段を本体に設けた
ことを特徴とする防犯用ブザー。
【請求項２】
上記固定部は、内孔を有するリング状である
ことを特徴とする請求項１に記載の防犯用ブザー。
【請求項３】
上記固定部を着脱可能に固定するための固定手段は、本体の筐体の上記スピーカーを内包する部位に設けられ、当該部位は当該固定部の内孔を挿入可能である
ことを特徴とする請求項２に記載の防犯用ブザー。
【請求項４】
上記イッチの一部は、本体の外側にある
ことを特徴とする請求項１から３のいずれかに記載の防犯用ブザー。
【請求項５】
上記本体に設けられ、かばん類または衣類に着脱可能に取付けることができる取付具を有する
ことを特徴とする請求項１から４のいずれかに記載の防犯用ブザー。
【発明の詳細な説明】
【技術分野】
【０００１】
本発明は、防犯ブザーに関するものであり、特に、誤操作が生じにくい防犯ブザーに関するものである。
【背景技術】
【０００２】
児童や学童用、あるいは女性用の防犯具として、防犯ブザーは広く使用されている。
防犯ブザーに求められる特性はふたつあり、ひとつは操作の迅速性である。危険を察知した際に、簡単な操作で直ちにブザーを鳴動させる必要がある。
もうひとつは、誤操作の防止である。すなわち、意図せずにブザーを鳴らしてしまうことが無いようにすることである。防犯ブザーは非常に大きな音を発するため、周囲を驚かせ、一時的な混乱状態を引き起こす恐れがある。したがって、できるだけ誤操作を生じにくくする必要がある。
【０００３】
しかし、操作の迅速性と誤操作の防止は、一般にトレードオフの関係にある。誤操作を防止するために、ブザーの起動操作を複雑にすれば、操作の迅速性が失われる。
操作の迅速性と誤操作の防止とのバランスを考慮したブザーの起動機構として、防犯ブザーから下方に垂れた紐を引っ張る機構が提案されている（例えば、特許文献１、特許文献２）。
【先行技術文献】
【特許文献】
【０００４】
【特許文献１】実用新案登録第３０４２５９６号
【特許文献１】特開２０１５−１８５９８０号
【発明の概要】
【発明が解決しようとする課題】
【０００５】
特許文献１や特許文献２に開示されている防犯ブザーは、下方に垂れた紐を下方に引っ張るという比較的単純な動作でブザーを駆動できるため、操作の迅速性が担保される。また、下方に垂れた紐を下方に引っ張るという駆動機構は、ボタンスイッチを押すといった機構に比べて誤操作が生じにくい。
【０００６】
しかしながら、下方に垂れた紐を下方に引っ張るためには、紐の先端に手で把持しやすい把持部を設けることが必要である。例えば、特許文献２のように把持具が無い構成では、緊急の際に紐を掴み損ねて、ブザーを駆動できないことが起こりうる。
一方、把持具を設けた場合、把持具が何かに引っ掛かり誤操作を生じやすいという別の問題が生じる
【０００７】
本発明は、上記の問題点を考慮し、操作の迅速性と誤操作の防止をできるだけ両立する防犯ブザーを提案するものである。
【課題を解決するための手段】
【０００８】
警報を発するためのスピーカーと、
当該スピーカーの制御を行う制御回路と、
上記スピーカーおよび上記制御回路を駆動するための電源と、
上記スピーカーの警報をＯＮ／ＯＦＦするためのスイッチと、
を備えた本体と、
上記スイッチに設けられ、上記本体外に一部または全部が露出した紐状体と、
当該紐状体に設けられた固定部と、
を有し、
上記固定部を着脱可能に固定するための固定手段を本体に設けた
ことを特徴とするものである。
【発明の効果】
【０００９】
本発明に係る防犯ブザーは上記のように構成されているので、以下に示す数多くの発明の効果を有する。
【００１０】
第一に、把持具である固定部は本体に着脱可能に固定されているため、固定部が何かに引っ掛かるというリスクが無い。また、固定部を本体に固定した状態においては、紐状体が二つ折れになっている。すなわち、実質的な長さが半分になっているため、紐状体が何かに引っ掛かるというリスクも大幅に軽減できる。したがって、誤操作が生じにくい。
【００１１】
第二に、ブザーを起動する際には、固定部を掴んで本体から外し、下方に引けばよい。固定部は本体に固定されているため、その位置は使用者にとって分かりやすい位置であり、確実に掴んで引くことができる。あるいは、紐状体を指で引き下ろすと、固定部が本体から外れて下方に落ちてくるため、そのまま固定部を掴んで、さらに下方に引けばよい。このように、手を下方に降ろすという直線的な動作でブザーを起動できるため、迅速なブザーの起動が可能である。特に、固定部はリングの外側を掴んでも良いし、リングに指を入れても良い。固定部は本体と同程度に、比較的大きくすることができるため、下方に引く際に力を入れやすい。したがって、動作加重を大きくすることができるので、より誤操作を生じにくくすることができる。
【００１２】
第三に、誤操作防止用に別のスイッチを設ける等が不必要であり、制御回路やスイッチ機構等が複雑になることが無く、部品コストや製造コストが増加することが無い。
【００１３】
第四に、暗い夜道を歩く等の際には、固定部を本体から予め外しておけば、より迅速にブザーを起動できる。このように、固定部を本体から着脱するという簡単な動作で、通常時と潜在的危険時での使い分けができる。
【００１４】
第五に、固定部が本体の一面全体をカバーするように固定できる構造にしておけば、防犯ブザーをぶつけた際に、固定部が衝撃を吸収する役割を果たし、防犯ブザーへの衝撃を軽減できる。通常、防犯ブザーは操作しやすいように、使用者の身体の前側に取り付けることが多く、そのため、防犯ブザーの前面をぶつけてしまうことが良くある。固定部は、着脱しやすいように防犯ブザーの前面に設けるのが自然であり、したがって、防犯ブザーを守るように製品を構成しやすい。
【００１５】
第六に、固定部自体、あるいは本体との組み合わせを考慮すると、デザイン設計の自由度が広がり、子供や女性が身に着ける際に魅力的な商品にしやすい。
【００１６】
第七に、固定部や紐状体にかばん類または衣類に着脱可能に取付けることができる取付具を設ければ、本体を引くことでブザーを作動することも可能となる。
【図面の簡単な説明】
【００１７】
【図１】本発明に係る防犯ブザーの固定部を取り付けた状態の斜視図である。
【図２】本発明に係る防犯ブザーの固定部を取り外した状態の斜視図である。
【図３】本発明に係る防犯ブザー本体裏面側の斜視図である。
【発明を実施するための形態】
【００１８】
実施の形態．
以下に、本発明に係る防犯ブザーの構成、使用方法および長所等について、図面を用いて説明する。なお、以下の実施の形態は、本発明の最適な一例であって、特に本発明をこの一例に限定するものではない。
【００１９】
＜構成＞
まず、構成について説明する。
図１は本発明に係る防犯ブザーの固定部を取り付けた状態の斜視図である。また、図２は本発明に係る防犯ブザーの固定部を取り外した状態の斜視図である。
【００２０】
防犯ブザーの基本的な構成として、警報を発するためのスピーカーと、当該スピーカーの制御を行う制御回路と、上記スピーカーおよび上記制御回路を駆動するための電源と、上記スピーカーの警報をＯＮ／ＯＦＦするためのスイッチ１ｂとを備えた本体１と、上記スイッチ１ｂに設けられ、上記本体１外に一部または全部が露出した紐状体３と、当該紐状体３に設けられた固定部４とを有している。そして、上記固定部４を着脱可能に固定するための固定手段１ａを本体１に設けたことを特徴としている。
【００２１】
本発明に係る防犯ブザーは、本体１に設けられ、かばん類または衣類に着脱可能に取付けることができる取付具２を有している。この取付具２により、本体１をかばん類または衣類に取付け、紐状体３や固定部４を下方に引くことでブザーを作動させることができる。
ただし、別の使い方も可能である。例えば、紐状体３や固定部４に、かばん類または衣類に着脱可能に取付けることができる取付具を設けて、この取付具により、紐状体３や固定部４をかばん類または衣類に取付け、本体１を下方に引くことでブザーを作動させることもできる。
【００２２】
固定部４は、内孔４ａを有するリング状であることが望ましい。図１に示すように、内孔４ａを用いて本体１の固定手段１ａに固定することが可能である。また、ブザーを動作させる際には、内孔４ａに指を入れて、強く引く動作も可能となる。
【００２３】
警報を発するためのスピーカーは、大音量を発することができるスピーカーであり、したがって、ある程度大きなスピーカーである。例えば、図２において、本体１の筐体の１ａの部分に近い箇所に円形等のスピーカーが設けられている。この箇所を固定部４を着脱可能に固定する箇所にすれば、全体をコンパクトにまとめることができる。すなわち、固定部４を着脱可能に固定するための固定手段１ａは、本体１の筐体の上記スピーカーを内包する部位に設けられ、当該部位は当該固定部４の内孔４ａを挿入可能とすることで、大きな部品であるスピーカーを内包する筐体部分を用いて、固定部４を本体１に取り付けることができる。
もちろん、上記は固定部４を本体１に固定する一例であり、着脱可能に固定できるのであれば、いかなる形態であっても良い。
【００２４】
また、固定部４は着脱しやすいように、本体の前方側に取り付けるのが望ましい。同様に、スピーカーも警報音を前方に効率良く伝えるために、本体の前方側に取り付けるのが望ましい。このような観点からも、スピーカーを内包する部位を用いて固定部４を取り付けることは、全体構成として合理性がある。
なお、本体１と固定部４の固定手段１ａは嵌合でも良いし、磁力等を用いても良い。
【００２５】
スイッチ１ｂは、スイッチ、あるいは回転型スイッチ等であり、図２において、紐状体３を下方に引くことでブザーが作動するスイッチである。なお、スイッチ１ｂは、その一部が本体１の外側にあることが望ましい。その理由については、後述する。
紐状体３は、紐や鎖等である。長さは固定部４を本体１に取り付ける際に必要な長さ以上が必要であるが、あまり長くない方が良い。紐状体３が何かに引っ掛かり、誤操作が生じるのを防ぐためである。
【００２６】
取付具２はフック等であり、かばん類または衣類等に着脱可能に取付けるために使用される。
また、図３に防犯ブザー本体１裏面側の斜視図を示すが、本体裏面に取付具１ｃを設けても良い。取付具１ｃに帯状の面ファスナーを通し、それでランドセルやショルダーバッグの肩紐に固定することもできる。それにより、例えば、右胸付近に防犯ブザーの本体１を位置させることが可能となり、操作が容易に行える。
例えばランドセルの場合、取付具２を肩ベルトのＤ環に取付け、取付具１ｃに通した帯状の面ファスナーで肩ベルトを巻くようにすれば、防犯部ブザー本体１をしっかりと胸付近に固定できる。なお、取付具１ｃに帯状の面ファスナーを通す際には、取付具１ｃにリング状の金具を通し、それに帯状の面ファスナーを通しても良い。
【００２７】
＜使用方法＞
次に使用方法について説明する。
通常の状態においては、図１に示したように、固定部４を本体に固定しておく。そして、本体１を取付具３や取付具１ｃを用いて、かばん類や衣類等に取り付ける。取付位置は、できるだけ手で操作しやすい位置が良い。上述したように、胸部等の身体の前面のできるだけ高い位置が望ましい。
【００２８】
次に、何らかの危険を察知した際には、固定部４を掴んで本体１から外し、下方に引く。または紐状体３を引く。そうすると、固定部４が本体１から外れ、下方に落ちてくるので、固定部４の外側を掴むか、固定部４の内孔４ａに指を入れて下方に引っ張る。そうすると、スイッチ１ｂが下方に移動して、スイッチＯＮの状態になる。これにより、スピーカーの制御を行う制御回路がスピーカーを駆動し、スピーカーが警報を発する。
【００２９】
固定部４あるいは紐状体３を引いて以降のこれらの動作は、手を下方にほぼ直線的に移動する動作であり、迅速に行うことができる。
このような動作以外に、固定部４の側面を手で払うような動作で本体１から離脱させた後に、固定部を下方に引いても良い。
【００３０】
警報を止める際には、スイッチ１ｂが上方に押し戻す。スイッチ１ｂは、その一部が本体１の外側にあることが望ましいとした理由は、スイッチ１ｂを上方に押し戻せるようにするためである。
警報を止めるために別のスイッチを本体１に設けても良いが、部品点数が増えるためコストが高くなる。また、スイッチ１ｂはいずれにしろ上方に戻す必要があるため、別のスイッチを設けるよりも、スイッチ１ｂを元の位置に戻すことで警報を止めるようにした方が、余計な操作が不要となる。
＜本発明の特長＞
【００３１】
本発明に係る防犯ブザーは上記のように構成されているので、以下に示す数多くの発明の効果を有する。
【００３２】
第一に、把持具である固定部は本体に着脱可能に固定されているため、固定部が何かに引っ掛かるというリスクが無い。また、固定部を本体に固定した状態においては、紐状体が二つ折れになっている。すなわち、実質的な長さが半分になっているため、紐状体が何かに引っ掛かるというリスクも大幅に軽減できる。したがって、誤操作が生じにくい。
【００３３】
第二に、ブザーを起動する際には、固定部を掴んで本体から外し、下方に引けばよい。固定部は本体に固定されているため、その位置は使用者にとって分かりやすい位置であり、確実に掴んで引くことができる。あるいは、紐状体を指で引き下ろすと、固定部が本体から外れて下方に落ちてくるため、そのまま固定部を掴んで、さらに下方に引けばよい。このように、手を下方に降ろすという直線的な動作でブザーを起動できるため、迅速なブザーの起動が可能である。特に、固定部はリングの外側を掴んでも良いし、リングに指を入れても良い。固定部は本体と同程度に、比較的大きくすることができるため、下方に引く際に力を入れやすい。したがって、動作加重を大きくすることができるので、より誤操作を生じにくくすることができる。
【００３４】
第三に、誤操作防止用に別のスイッチを設ける等が不必要であり、制御回路やスイッチ機構等が複雑になることが無く、部品コストや製造コストが増加することが無い。
【００３５】
第四に、暗い夜道を歩く等の際には、固定部を本体から予め外しておけば、より迅速にブザーを起動できる。このように、固定部を本体から着脱するという簡単な動作で、通常時と潜在的危険時での使い分けができる。
【００３６】
第五に、固定部が本体の一面全体をカバーするように固定できる構造にしておけば、防犯ブザーをぶつけた際に、固定部が衝撃を吸収する役割を果たし、防犯ブザーへの衝撃を軽減できる。通常、防犯ブザーは操作しやすいように、使用者の身体の前側に取り付けることが多く、そのため、防犯ブザーの前面をぶつけてしまうことが良くある。固定部は、着脱しやすいように防犯ブザーの前面に設けるのが自然であり、したがって、防犯ブザーを守るように製品を構成しやすい。
【００３７】
第六に、固定部自体、あるいは本体との組み合わせを考慮すると、デザイン設計の自由度が広がり、子供や女性が身に着ける際に魅力的な商品にしやすい。
【００３８】
第七に、固定部や紐状体にかばん類または衣類に着脱可能に取付けることができる取付具を設ければ、本体を引くことでブザーを作動することも可能となる。
【符号の説明】
【００３９】
１  防犯ブザー本体
１ａ  固定手段
１ｂ  （ブザー起動用）スイッチ
１ｃ  （かばん類または衣類等）取付具
２  （かばん類または衣類等）取付具
３  紐状体
４  固定部
４ａ  内孔
【図１】
2019200497.tif 000003
【図２】
2019200497.tif 000004
【図３】
2019200497.tif 000005